(57)【特許請求の範囲】
【請求項１】
クレーンのフックに懸架されたスリングチェーンでワークを絞り吊りする際に用いられるスライド式チェーン金具であって、スリングチェーンをスライド移動可能に挿通させるチェーンスライド穴と、チェーンスライド穴に挿通させたスリングチェーンをワークに巻き付けて略一周させた状態で任意の位置にある一のリンクを係止して長さ調節する係止部とを備え、チェーンスライド穴を有するチェーンスライド部と係止部とが相対回転自在に連結されてなることを特徴とする絞り吊り用スライド式チェーン金具。
【請求項２】
前記チェーンスライド部の連結端部に所定角度をおいて突出形成された２つのストッパが前記係止部の連結端部に形成されたストッパ当たりと当接可能であり、チェーンスライド部と係止部とは、一方のストッパがストッパ当たりに当接する第一の相対位置と他方のストッパがストッパ当たりに当接する第二の相対位置との間の所定角度範囲内において相対回転自在であることを特徴とする請求項１記載の絞り吊り用スライド式チェーン金具。
【発明の詳細な説明】
【技術分野】
【０００１】
本発明は、クレーンのフックに懸架されたスリングチェーンで鋼材などのワークを絞り吊りする際に用いられるスライド式チェーン金具に関し、より詳しくは該スライド式チェーン金具においてスリングチェーンの長さ調節を可能にした構成を備えたものに関する。
【背景技術】
【０００２】
コラムや形鋼などの鋼材の反転作業や吊り上げ作業として該鋼材を絞り吊りする場合や、小径の丸棒や鋼管材などを多数本まとめて絞り吊りして巻き上げ・搬送する場合などにおいて、クレーンのフックに懸架されたスリングチェーンでこれらワークを絞り吊りすることが行われている。このとき、クレーンの揚程や作業スペースなどによってはスリングチェーンの長さ調節を行う（スリングチェーンを短くする）こと（一般にショートニングと呼ばれる）が必要となる。
【０００３】
より具体的に説明すれば、図１６に示すように、クレーンフック（図示せず）に連結されたマスターリンク１にカップリング２を連結し、このカップリング２にスリングチェーン３を連結するとともに、３リンクチェーン４を介してショートニングブロック５を連結して、スリングチェーン３をショートニングブロック５に通しながら任意の箇所で係止することによってスリングチェーン３の長さ調節を行っている。このようにして長さ調節されたスリングチェーン３は、スライドフック６のチェーンスライド穴を総通してワーク７（この例ではコラム＝角鋼管）の外周に沿って巻き付けられ、その先端に連結したカプラー８をスライドフック６に係止した状態でワーク７の絞り吊りを行う。
【先行技術文献】
【非特許文献】
【０００４】
【非特許文献１】イーグルクランプ株式会社、「チェーンスリング商品検索」、[online]、[平成２１年９月１０日検索]、インターネット（URL:http://www.eagleclamp.co.jp/products/chain_search.php）,
【発明の概要】
【発明が解決しようとする課題】
【０００５】
上記した従来技術によると、長さ調節機能付の絞り吊り部品として、マスターリンク１、カップリング２、スリングチェーン３、３リンクチェーン４、ショートニングブロック５、スライドフック６およびカプラー８の計７点を必要とし、コスト高の原因となっていた。
【０００６】
また、スリングチェーン３の長さ調節を行う場合、作業者がショートニングブロック５に手が届く位置までクレーンフックを下げなければならず、作業性の煩雑さが課題となっていた。
【０００７】
さらに、丸棒や鋼管などの小径長尺材を多数本まとめて絞り吊りする際にスライドフック６が邪魔になってワークを完全に絞ることができず、ワーク落下の危険を伴うことがあった。
【０００８】
したがって、本発明が解決しようとする課題は、スリングチェーンの長さ調節のための部品点数を少なくするとともに長さ調節作業を容易に行えるようにし、且つ、小径長尺材を多数本まとめて絞り吊る際にワークを完全に絞り上げてワーク落下の危険を伴わずに安全に作業することができるような新規な構成の絞り吊り用スライド式チェーン金具を提供することにある。
【課題を解決するための手段】
【０００９】
この課題を解決するため、請求項１に係る本発明は、クレーンのフックに懸架されたスリングチェーンでワークを絞り吊りする際に用いられるスライド式チェーン金具であって、スリングチェーンをスライド移動可能に挿通させるチェーンスライド穴と、チェーンスライド穴に挿通させたスリングチェーンをワークに巻き付けて略一周させた状態で任意の位置にある一のリンクを係止して長さ調節する係止部とを備え、チェーンスライド穴を有するチェーンスライド部と係止部とが相対回転自在に連結されてなることを特徴とする。
【００１０】
請求項２に係る本発明は、請求項１記載の絞り吊り用スライド式チェーン金具において、前記チェーンスライド部の連結端部に所定角度をおいて突出形成された２つのストッパが前記係止部の連結端部に形成されたストッパ当たりと当接可能であり、チェーンスライド部と係止部とは、一方のストッパがストッパ当たりに当接する第一の相対位置と他方のストッパがストッパ当たりに当接する第二の相対位置との間の所定角度範囲内において相対回転自在であることを特徴とする。
【発明の効果】
【００１６】
本発明によれば、スリングチェーンをスライド移動可能に挿通させるチェーンスライド穴と、チェーンスライド穴に挿通させたスリングチェーンをワークに巻き付けて略一周させた状態で任意の位置にある一のリンクを係止して長さ調節する係止部とを備えたスライド式チェーン金具が提供されるので、従来技術のように長さ調節のための部材を別途用いる必要がない。
【００１７】
また、クレーンフックを下げる必要なくスリングチェーンの長さ調節を行うことができるので、作業が容易である。
【００１８】
また、チェーンスライド部と係止部とが相対回転自在に連結されているので、丸棒や鋼管などの小径長尺材を多数本まとめて絞り吊りする場合のように凹凸曲面状ないし不規則形状の外周形状を有するワークであっても、その不規則外周形状に良好に追従して十分な絞り力を与えて絞り吊りを行うことができ、ワーク落下の危険を回避する。
【図面の簡単な説明】
【００１９】
【図１】本発明の一実施形態（実施例１）による絞り吊り用スライド式チェーン金具の正面図（ａ）および側面図（ｂ）である。
【図２】図１のチェーン金具を用いてワークを絞り吊りするときの使用状態図である。
【図３】本発明の他実施形態（実施例２）による絞り吊り用スライド式チェーン金具の正面図（ａ）および側面図（ｂ）である。
【図４】図３に示す実施形態の変形例（実施例３）による絞り吊り用スライド式チェーン金具の正面図（ａ）および側面図（ｂ）である。
【図５】図４のチェーン金具を用いてワークを絞り吊りするときの使用状態図である。
【図６】本発明の他実施形態（実施例４）による絞り吊り用スライド式チェーン金具の正面図（ａ）および側面図（ｂ）である。
【図７】図６に示す実施形態の変形例（実施例５）による絞り吊り用スライド式チェーン金具の正面図（ａ）および側面図（ｂ）である
【図８】本発明の他実施形態（実施例６）による絞り吊り用スライド式チェーン金具の正面図（ａ）および側面図（ｂ）である。
【図９】本発明の他実施形態（実施例７）による絞り吊り用スライド式チェーン金具の正面図（ａ）および側面図（ｂ）である。
【図１０】図９のチェーン金具の９０度回転状態を示す側面図である。
【図１１】本発明の他実施形態（実施例８）による絞り吊り用スライド式チェーン金具の正面図（ａ）および側面図（ｂ）である。
【図１２】図１１のチェーン金具の９０度回転状態を示す側面図である。
【図１３】図１１のチェーン金具を用いて小径長尺材を多数本まとめて絞り吊りするときの使用状態図である。
【図１４】本発明の他実施形態（実施例９）による絞り吊り用スライド式チェーン金具の正面図（ａ）および側面図（ｂ）である。
【図１５】図１４のチェーン金具を用いて小径長尺材を多数本まとめて絞り吊りするときの使用状態図である。
【図１６】絞り吊りの際にスリングチェーンの長さ調節を行う従来技術の手法を示す使用状態図である。
【発明を実施するための最良の形態】
【００２０】
以下添付図面に基づいて本発明の実施例について詳細に説明するが、本発明はこれら実施例に限定されるものではなく、特許請求の範囲に記載される発明の範囲内において種々の変形や変更が許容されることは言うまでもない。
【実施例１】
【００２１】
図１に示す実施例１の絞り吊り用スライド式チェーン金具１０は、その長さ方向一端にスリングチェーン３（図２参照）をスライド移動可能に挿通させるチェーンスライド穴１１を有し、他端には一つの横リンク３ａを係止することによりスリングチェーン３を長さ調節可能とする係止部１２が設けられている。
【００２２】
チェーンスライド穴１１はこの実施例では円形に示されているが、スリングチェーン３をスライド移動可能に挿通させることができるものであればその形状や大きさは限定されない。
【００２３】
係止部１２は、チェーン金具１０を前後方向（図１（ａ）の紙面鉛直方向）に貫通する縦スロット１２１と、この縦スロット１２１と略十字状に直交する横スロット１２２とを有し、正面視（図１（ａ））では略十字状に開口する溝として観察されるが、横スロット１２２はチェーン金具１０の長さ方向に対して所定の角度に傾斜するように形成され、且つ、チェーン金具１０の前後方向に貫通せずに溝底１２２ａを有している（図１（ｂ）参照）。
【００２４】
なお、スリングチェーン３は同一寸法および形状の横リンク３ａと縦リンク３ｂとが交互に連結されて構成されており、横スロット１２２の長手寸法はこれらリンク３ａ，３ｂの短径より若干大きく形成され、その短手寸法はリンク３ａ，３ｂの線径より若干大きく形成され、その溝深さはリンク３ａ，３ｂの長径より小さく形成されている。縦スロット１２１の短手寸法もリンク３ａ，３ｂの線径より若干大きく形成され、その長手寸法は適宜に形成される。
【００２５】
このチェーン金具１０を用いてワーク７（この例ではコラム）を絞り吊りする用例が図２に示されている。この図において、従来技術の説明に用いた図１６における部品・要素と同一または対応する部品・要素には同一の符号が付されている。
【００２６】
図２に示すように、クレーンフック（図示せず）に連結されたマスターリンク１にカップリング２を連結し、このカップリング２にスリングチェーン３を連結してワーク７の絞り吊りを行うが、図１のチェーン金具１０のチェーンスライド穴１１にスリングチェーン３を挿通させてワーク７に巻き付けて略一周させた状態にして、チェーン金具１０の係止部１２の横スロット１２２にいずれかの横リンク３ａを係止して長さ調節を行う。
【００２７】
すなわち、チェーン金具１０の係止部１２において横スロット１２２が開口している前面側（図１（ａ））からスリングチェーン３のいずれかの横リンク３ａを横スロット１２２に挿入して溝底１２２ａに当たるまで押し込む。横スロット１２２に挿入係止された横リンク３ａ’の上半部は横スロット１２２から突出しており、この突出部が図２において黒く塗り潰されて示されている。この横リンク３ａの下方に連結されている縦リンク３ｂは係止部１２の縦スロット１２１に挿入される。
【００２８】
この実施例によれば、上記のようにして、スリングチェーン３において一つ置きに設けられている横リンク３ａのいずれかを、チェーン金具１０の係止部１２の横スロット１２２に挿入係止することによって簡単にスリングチェーン３の長さ調節を行うことができる。チェーン金具１０はワーク７の上端に近接して位置しており、比較的低い位置にあるので、クレーンフックを吊り下ろす必要なく円滑に長さ調節作業を行うことができる。
【００２９】
また、一つの横リンク３ａがチェーン金具１０の横スロット１２に挿入係止された状態においては、該横リンク３ａを引き上げて横スロット１２から離脱させない限り、スリングチェーン３がチェーン金具１０に対して移動することはないので、絞り吊りの際に十分な絞り力をワーク７に与えることができ、ワーク落下の危険を伴わずに安全に作業を行うことができる。
【００３０】
なお、図２においてカプラー８のピン（図示せず）をスリングチェーン先端のリンクに通すことにより該カプラーが連結されているが、これは吊り作業を行わないときにチェーン金具１０がスリングチェーン３から抜け落ちることを防止するためのものであり、チェーン金具１０のチェーンスライド穴１１を挿通不能な形状および寸法を有するものであれば良く、したがってカプラー８には限定されず、この種の吊り装置に慣用される丸環やボルト／ナット組立体など任意の部品を使用することができる。
【００３１】
また、ここにチェーン掛付カプラー（カプラー８のピンとは反対側にリンク３ａ，３ｂに係止可能なフックを設けた構成のもの）を用いれば、チェーン金具１０の上方の任意地点においてスリングチェーン３のいずれかのリンク３ａまたは３ｂに該チェーン掛付カプラーのフックを引っ掛けることにより、チェーン金具１０から余ったスリングチェーン３が過剰に垂れ下がることを防ぐことができる（図１３参照）。
【実施例２】
【００３２】
実施例２による絞り吊り用スライド式チェーン金具２０が図３に示されている。このチェーン金具２０は、その長さ方向一端にスリングチェーン３をスライド移動可能に挿通させるチェーンスライド穴２１を有し、他端には一つの横リンク３ａを係止することによりスリングチェーン３を長さ調節可能とする係止部２２が設けられている。
【００３３】
チェーンスライド穴２１はこの実施例では円形に示されているが、スリングチェーン３をスライド移動可能に挿通させることができるものであればその形状や大きさは限定されない。
【００３４】
係止部２２は、チェーンスライド穴２１の下方に延長する本体部２２１がその下端においてフック状をなし、本体部２２１とフック部２２２との間に、一つの横リンク３ａを嵌合収容可能な嵌合部２２３と、この嵌合部２２３に該横リンク３ａを案内する案内部２２４とが所定の角度で折り曲げられた状態で連続して形成されている。したがって、これら嵌合部２２３および案内部２２４は、スリングチェーン３を構成する同一寸法および形状の横リンク３ａと縦リンク３ｂの線径より若干大きな溝幅を有するように形成される。また、案内部２２４から嵌合部２２３に連続する折曲箇所は横リンク３ａの移動がスムーズに行われるように溝幅が若干拡げられている（図３（ｂ）参照）。
【００３５】
このチェーン金具２０を用いてワーク７を絞り吊りするときは、実施例１について既述し且つ図２に示したと同様にして行うことができる。すなわち、クレーンフック（図示せず）に連結されたマスターリンク１にカップリング２を連結し、このカップリング２にスリングチェーン３を連結してワーク７の絞り吊りを行うに当たり、チェーン金具２０のチェーンスライド穴２１にスリングチェーン３を挿通させてワーク７に巻き付けて略一周させた後、いずれかの横リンク３ａをチェーン金具２０の係止部２２の案内部２２４に挿入して最終的に嵌合部２２３に収容嵌合することにより、スリングチェーン３の長さ調節を行う。
【００３６】
この実施例によれば、上記のようにして、スリングチェーン３において一つ置きに設けられている横リンク３ａのいずれかを、チェーン金具２０の係止部２２の嵌合部２２３に収容嵌合することによって簡単にスリングチェーン３の長さ調節を行うことができる。チェーン金具２０はワーク７の上端に近接して位置しており、比較的低い位置にあるので、クレーンフックを吊り下ろす必要なく円滑に長さ調節作業を行うことができる。
【００３７】
また、横リンク３ａに直交状態で連結されている縦リンク３ｂはチェーン金具２０の嵌合部２２３に入り込むことができないので、一つの横リンク３ａが嵌合部２２３に収容嵌合された状態においては、該横リンク３ａを引き上げて嵌合部２２３および案内部２２４から離脱させない限り、スリングチェーン３がチェーン金具２０に対して移動することはない。したがって、絞り吊りの際に十分な絞り力をワーク７に与えることができ、ワーク落下の危険を伴わずに安全に作業を行うことができる。チェーン金具２０の係止部２２の下端両側に突出形成された突起部２２５は、嵌合部２２３に収容嵌合された横リンク３ａの両側に連結された縦リンク３ｂ，３ｂの姿勢を左右対称に安定化させ、該横リンク３ａの嵌合状態を不動に維持することに役立っている。
【実施例３】
【００３８】
実施例３による絞り吊り用スライド式チェーン金具２０’が図４に示されている。このチェーン金具２０’は、実施例２のチェーン金具２０（図３）の変形例であり、チェーンスライド穴２１の通孔方向と係止部２２の嵌合部２２３および案内部２２４の通孔方向を同方向にした点で相違している。この実施例によるチェーン金具２０’は一工程で鍛造することができ、製造上の有利性を有するが、上記相違点以外の構成は実施例２と同様であるので、実施例２と同一または対応する部品・要素には同一の符号を付して、説明を省略する。
【００３９】
このチェーン金具２０’を用いてワーク７を絞り吊りするときの用法や作用効果なども実施例３と同様であるが、この場合の使用状態を図５として示す。実施例２について既述したように、クレーンフック（図示せず）に連結されたマスターリンク１にカップリング２を連結し、このカップリング２にスリングチェーン３を連結してワーク７の絞り吊りを行うに当たり、チェーン金具２０’のチェーンスライド穴２１にスリングチェーン３を挿通させてワーク７に巻き付けて略一周させた後、いずれかの横リンク３ａをチェーン金具２０’の係止部２２の案内部２２４に挿入して最終的に嵌合部２２３に収容嵌合することにより、スリングチェーン３の長さ調節を行う。図５では、チェーン金具２０’の嵌合部２２３に収容嵌合されて形成されている横リンク３ａ’が黒く塗り潰されて示されている。
【実施例４】
【００４０】
実施例４による絞り吊り用スライド式チェーン金具３０が図６に示されている。このチェーン金具３０は、その長さ方向一端にスリングチェーン３をスライド移動可能に挿通させるチェーンスライド穴３１を有し、他端には一つの横リンク３ａを係止することによりスリングチェーン３を長さ調節可能とする係止部２２が設けられている。
【００４１】
チェーンスライド穴３１を有する一端部はチョーカーフック形に形成されており、スリングチェーン３を構成する横リンク３ａ，縦リンク３ｂの線径より若干大きな寸法の開口部３１ａを備えている。既述の実施例によるチェーン金具１０，２０，２０’のチェーンスライド穴１１，２１は開口部を有しない閉じた形状であるため、チェーンスライド穴１１，２１にスリングチェーン３を通した後に先端にカプラー８などを取り付けてスリングチェーン一式を組み立てなければならない（図２，図５参照）が、この実施例によるときは、カプラー８などを取り付けてスリングチェーン一式を組み立てた後であってもその任意の位置でチョーカーフック開口部３１ａからチェーンスライド穴３１に挿入することができる利点がある。チェーンスライド穴３１は、スリングチェーン３をスライド移動可能に挿通させることができるものであればその形状や大きさは限定されない。
【００４２】
係止部３２は、実施例２および実施例３のチェーン金具２０，２０’（図３，図４）における係止部２２と同一構成である。すなわち、係止部３２は、チェーンスライド穴３１の下方に延長する本体部３２１がその下端においてフック状をなし、本体部３２１とフック部３２２との間に、一つの横リンク３ａを嵌合収容する嵌合部３２３と、この嵌合部３２３に該横リンク３ａを案内する案内部３２４とが所定の角度で折り曲げられた状態で連続して形成されている。したがって、これら嵌合部３２３および案内部３２４は、スリングチェーン３を構成する横リンク３ａと縦リンク３ｂの線径より若干大きな溝幅を有するように形成される。案内部３２４から嵌合部３２３に連続する折曲箇所は横リンク３ａの移動がスムーズに行われるように溝幅が若干拡げられている（図６（ｂ）参照）。また、係止部３２の下端両側に突出形成された突起部３２５は、嵌合部３２３に収容嵌合された横リンク３ａの両側に連結された縦リンク３ｂ，３ｂの姿勢を左右対称に安定化させ、該横リンク３ａの嵌合状態を不動に維持することに役立っている。
【００４３】
このチェーン金具３０を用いてワーク７を絞り吊りするときは、実施例３について既述し且つ図５に示したと同様にして行うことができるので、説明を省略する。また、その場合の作用や効果も同様であるので、説明を省略する。
【実施例５】
【００４４】
実施例５による絞り吊り用スライド式チェーン金具３０’が図７に示されている。このチェーン金具３０’は、実施例４のチェーン金具３０（図６）の変形例であり、チェーンスライド穴３１の通孔方向と係止部３２の嵌合部３２３および案内部３２４の通孔方向を同方向にした点で相違している。この実施例によるチェーン金具３０’は一工程で鍛造することができ、製造上の有利性を有するが、上記相違点以外の構成は実施例２と同様であるので、実施例２と同一または対応する部品・要素には同一の符号を付して、説明を省略する。
【００４５】
このチェーン金具３０’を用いてワーク７を絞り吊りするときは、実施例３について既述し且つ図５に示したと同様にして行うことができるので、説明を省略する。また、その場合の作用や効果も同様であるので、説明を省略する。
【実施例６】
【００４６】
実施例６による絞り吊り用スライド式チェーン金具４０が図８に示されている。このチェーン金具４０は、その長さ方向一端にスリングチェーン３をスライド移動可能に挿通させるチェーンスライド穴４１を有し、他端には一つの横リンク３ａを係止することによりスリングチェーン３を長さ調節可能とする係止部４２が設けられている。
【００４７】
チェーンスライド穴４１を有する一端部は、実施例４のチェーン金具３０（図６）と同様にチョーカーフック形に形成されており、スリングチェーン３を構成する横リンク３ａ，縦リンク３ｂの線径より若干大きな寸法の開口部４１ａを備えているので、カプラー８などを取り付けてスリングチェーン一式を組み立てた後であってもその任意の位置でチョーカーフック開口部４１ａからチェーンスライド穴４１に挿入することができる利点がある。チェーンスライド穴４１は、スリングチェーン３をスライド移動可能に挿通させることができるものであればその形状や大きさは限定されない。
【００４８】
係止部４２は、実施例１のチェーン金具１０（図１）における係止部１２と実質的に同一構成を有しており、チェーン金具４０を前後方向（図８（ａ）の紙面鉛直方向）に貫通する縦スロット４２１と、この縦スロット４２１と略十字状に直交する横スロット４２２とを有する。正面視（図８（ａ））では略十字状に開口する溝として観察されるが、横スロット４２２はチェーン金具４０の長さ方向に対して所定の角度に傾斜するように形成され、且つ、チェーン金具４０の前後方向に貫通せずに溝底４２２ａを有している（図８（ｂ）参照）。実施例１と同様に、横スロット４２２にスリングチェーン３のいずれか一の横リンク３ａ’（図２参照）が挿入係止されることによってスリングチェーン３の長さ調節を行うことができる。
【実施例７】
【００４９】
実施例７による絞り吊り用スライド式チェーン金具５０が図９に示されている。このチェーン金具５０は、実施例１のチェーン金具１０（図１）のチェーンスライド穴１１を有する部分と係止部１２とを別部材に構成してそれらを０〜９０度の範囲内で回転自在に連結した構成を有する。すなわち、このチェーン金具５０は、チェーンスライド穴５１１を有するチェーンスライド部５１と、係止部５２とが、連結手段５３を介して０〜９０度の範囲内で回転自在に連結されている。
【００５０】
係止部５２は、実施例１のチェーン金具１０（図１）における係止部１２と実質的に同一構成を有しており、チェーン金具５０を前後方向（図９（ａ）の紙面鉛直方向）に貫通する縦スロット５２１と、この縦スロット５２１と略十字状に直交する横スロット５２２とを有する。正面視（図９（ａ））では略十字状に開口する溝として観察されるが、横スロット５２２はチェーン金具５０の長さ方向に対して所定の角度に傾斜するように形成され、且つ、チェーン金具５０の前後方向に貫通せずに溝底５２２ａを有している（図９（ｂ）参照）。実施例１と同様に、横スロット５２２にスリングチェーン３のいずれか一の横リンク３ａ（図２参照）が挿入係止されることによってスリングチェーン３の長さ調節を行うことができる。
【００５１】
連結手段５３は、チェーンスライド部５１の連結端部５１２のピン穴５１３を貫通するとともに、この連結端部５１２を挟むように二股状に形成された係止部５２の連結端部５２３のピン穴５２４に挿入される連結ピン５３１と、この連結ピン５３１の抜けを防止するためにピン縮径部５３２に嵌入されるスプリングピン５３３とを有する。
【００５２】
チェーンスライド部５１と係止部５２とは連結ピン５３１を回転軸として相対回転可能に連結されるが、チェーンスライド部５１の略円形の連結端部５１２の外周に９０度間隔で突出形成された２つのストッパ５１４，５１５と、これらストッパ５１４，５１５と当接可能に係止部５２の二股状連結端部５２３の溝底５２５から突出形成されたストッパ当たり５２６とによって、チェーンスライド部５１と係止部５２との相対回転角度が９０度の範囲に規制されている。
【００５３】
すなわち、ストッパ当たり５２６にストッパ５１４が当接しているときはチェーンスライド部５１と係止部５２とが略直線状に延長する状態で連結されている（図９（ｂ））が、この状態から同図において時計方向に９０度チェーンスライド部５１を係止部５２に対して回転させると、今度はストッパ当たり５２６にストッパ５１５が当接して、それ以上の回転を規制する（図１０）。すなわち、チェーンスライド部５１と係止部５２は角度θ（この実施例では９０度）の範囲内で相対回転自在である。この相対回転自在な角度範囲は、ストッパ５１５の位置を変えることによって自在に変更可能である。また、ストッパ５１４，５１５およびストッパ当たり５２６を省略すれば、チェーンスライド部５１と係止部５２とは角度の規制なく自由に相対回転自在となる。
【実施例８】
【００５４】
実施例８による絞り吊り用スライド式チェーン金具６０が図１１に示されている。このチェーン金具６０は、実施例２のチェーン金具２０（図３）のチェーンスライド穴２１を有する部分と係止部２２とを別部材に構成してそれらを０〜９０度の範囲内で回転自在に連結した構成を有する。すなわち、このチェーン金具６０は、チェーンスライド穴６１１を有するチェーンスライド部６１と、係止部６２とが、連結手段６３を介して０〜９０度の範囲内で回転自在に連結されている。
【００５５】
係止部６２は、実施例２のチェーン金具２０における係止部２２と実質的に同一構成を有しており、本体部６２１とフック部６２２との間に、一つの横リンク３ａを嵌合収容可能な嵌合部６２３と、この嵌合部６２３に該横リンク３ａを案内する案内部６２４とが所定の角度で折り曲げられた状態で連続して形成されている。案内部６２４から嵌合部６２３に連続する折曲箇所は横リンク３ａの移動がスムーズに行われるように溝幅が若干拡げられている（図１１（ｂ）参照）。実施例２と同様に、嵌合部６２３にスリングチェーン３のいずれか一の横リンク３ａが挿入係止されることによってスリングチェーン３の長さ調節を行うことができる。係止部６２の下端両側に突出形成された突起部６２５は、嵌合部６２３に収容嵌合された横リンク３ａの両側に連結された縦リンク３ｂ，３ｂの姿勢を左右対称に安定化させ、該横リンク３ａの嵌合状態を不動に維持する。
【００５６】
連結手段６３は、実施例７のチェーン金具５０（図９）における連結手段５３と実質的に同一の構成を有しており、チェーンスライド部６１の連結端部６１２のピン穴６１３を貫通するとともに、この連結端部６１２を挟むように二股状に形成された係止部６２の連結端部６２３のピン穴６２４に挿入される連結ピン６３１と、この連結ピン６３１の抜けを防止するためにピン縮径部６３２に嵌入されるスプリングピン６３３とを有する。
【００５７】
チェーンスライド部６１と係止部６２とは連結ピン６３１を回転軸として相対回転可能に連結されるが、チェーンスライド部６１の略円形の連結端部６１２の外周に９０度間隔で突出形成された２つのストッパ６１４，６１５と、これらストッパ６１４，６１５と当接可能に係止部６２の二股状連結端部６２６の溝底６２８から突出形成されたストッパ当たり６２９とによって、チェーンスライド部６１と係止部６２との相対回転角度が９０度の範囲に規制されている。
【００５８】
すなわち、ストッパ当たり６２９にストッパ６１４が当接しているときはチェーンスライド部６１と係止部６２とが略直線状に延長する状態で連結されている（図１１（ｂ））が、この状態から同図において時計方向に９０度チェーンスライド部６１を係止部６２に対して回転させると、今度はストッパ当たり６２９にストッパ６１５が当接して、それ以上の回転を規制する（図１２）。すなわち、チェーンスライド部６１と係止部６２は角度θ（この実施例では９０度）の範囲内で相対回転自在である。この相対回転自在な角度範囲は、ストッパ６１５の位置を変えることによって自在に変更可能である。また、ストッパ６１４，６１５およびストッパ当たり６２９を省略すれば、チェーンスライド部６１と係止部６２とは角度の規制なく自由に相対回転自在となる。
【００５９】
上述したように、実施例７によるチェーン金具５０および実施例８によるチェーン金具６０はチェーンスライド部５１，６１と係止部５２，６２とが連結手段５３，６３を介して所定の角度θの範囲内で相対回転自在に構成されており、このような実施形態は、丸棒や鋼管などの小径長尺材を多数本まとめて絞り吊りする場合に特に好適に使用することができる。
【００６０】
すなわち、実施例８のチェーン金具６０を例として図１３を参照して説明すると、このようなワーク７’は凹凸曲面状ないし不規則形状の外周形状を有するため、チェーンスライド部と係止部とが直線状に延長する一体型のチェーン金具を使用すると、ワーク７’の外周面に密着することができず、十分な絞り力が与えられずにワーク７落下の危険を伴うことがあったが、このチェーン金具６０を使用すれば、チェーンスライド部６１と係止部６２とが角度θの範囲内において自在に相対回転することができるので、ワーク７’の不規則な外周面にも良好に追従して密接する。図１３の例ではチェーンスライド部６１と係止部６２とが角度β（０≦β≦θ）で連結されてワーク７’の外周面に追従している。したがって、十分な絞り力を与えて絞り吊りを行うことができ、ワーク落下の危険が回避される。この作用は実施例７のチェーン金具５０を使用した場合も同様に発揮される。
【００６１】
なお、図１３においてはスリングチェーン３の先端に抜け止め用の金具としてチェーン掛付カプラー９が取り付けられており、これを図示のように任意の地点のリンクに引っ掛けることにより、チェーン金具６０に係止されたリンクから先端側に余ったスリングチェーン３が過剰に垂れ下がることを防ぐことができる利点がある（実施例１および図２に関して既述）。
【実施例９】
【００６２】
実施例９による絞り吊り用スライド式チェーン金具７０が図１４に示されている。このチェーン金具７０は、チェーンスライド穴７１１を有するチェーンスライド部７１をリンクチェーン７３により係止部７２と相対回転自在に連結した構成を有する。
【００６３】
チェーンスライド部７１には従来のカプラー（図２のカプラー８参照）を利用しても良いが、図示例では、異なる線径の数種類のチェーン（たとえば線径が６ｍｍ，８ｍｍ，１０ｍｍの３種類のチェーン）に兼用可能なカプラー本体７１２に使用チェーンの線径に応じてピン穴７１３を加工し、このピン穴７１３に連結ピン７１４を取り付けてスプリングピン７１５で抜け止めしたものを使用している。これによれば、適用可能な最大のチェーンがスライド移動可能に挿通できる大きさのチェーンスライド穴７１１を有する一種類のカプラー本体７１２を鍛造しておき、このカプラー本体７１２に対して、使用チェーンに応じた位置に使用チェーンに応じた大きさのピン穴７１３を形成し、該ピン穴７１３の大きさに応じた太さ（径）の連結ピン７１４を使用することができ、鍛造工程や設備を簡略化することができる利点がある。
【００６４】
係止部７２は、実施例２のチェーン金具２０（図３）の係止部２２と実質的に同一構成を有しており、本体部７２１とフック部７２２との間に、一つの横リンク３ａを嵌合収容可能な嵌合部７２３と、この嵌合部７２３に該横リンク３ａを案内する案内部７２４とが所定の角度で折り曲げられた状態で連続して形成されている。案内部７２４から嵌合部７２３に連続する折曲箇所は横リンク３ａの移動がスムーズに行われるように溝幅が若干拡げられている（図１４（ａ）参照）。実施例２と同様に、嵌合部７２３にスリングチェーン３のいずれか一の横リンク３ａが挿入係止されることによってスリングチェーン３の長さ調節を行うことができる。係止部７２の下端両側に突出形成された突起部７２５は、嵌合部７２３に収容嵌合された横リンク３ａの両側に連結された縦リンク３ｂ，３ｂの姿勢を左右対称に安定化させ、該横リンク３ａの嵌合状態を不動に維持する。
【００６５】
リンクチェーン７３は任意数のリンクを連結したものであり、その一端のリンク７３１がチェーンスライド部７１の連結ピン７１２に連結され、他端のリンク７３２が係止部７２の連結ピン７２６に連結されることにより、チェーンスライド部７１と係止部７２とを相対回転自在に連結する。リンクチェーン７３を構成するリンク数は任意であるが、奇数とすることによりチェーンスライド部７１の面と係止部７２の本体部７２１の背面とをワーク外周に略密接させることができるので好ましく、一般には３リンク（図示）または５リンクとすることが好ましい。
【００６６】
この実施例も、実施例７，８のチェーン金具５０，６０（図９，図１１）と同様に、チェーンスライド部７１と係止部７２とがリンクチェーンを介して相対回転自在に構成されているので、丸棒や鋼管などの小径長尺材を多数本まとめて絞り吊りする場合に特に好適に使用することができる。すなわち、図１５に示すように、チェーンスライド部７１と係止部７２とが自在に相対回転することができるので、ワーク７’の不規則な外周面にも良好に追従して密接する。さらに、この実施例によればチェーン金具７０の中間部分にリンクチェーン７３が位置しているので、ワーク７’の不規則外周面に対する追従性がより優れたものとなる。したがって、ワークに対する絞り力がより増大し、ワーク落下の危険を回避することができる。
【符号の説明】
【００６７】
１  マスターリンク
２  カップリング
３  スリングチェーン
３ａ  横リンク（３ａ’  本発明のチェーン金具に軽視されている横リンク）
３ｂ  縦リンク
７，７’  ワーク
８  カプラー
９  チェーン掛付カプラー
１０  絞り吊り用スライド式チェーン金具（本発明品）
１１  チェーンスライド穴
１２  係止部
１２１  縦スロット
１２２  横スロット
１２２ａ  横スロットの溝底
２０，２０’  絞り吊り用スライド式チェーン金具（本発明品）
２１  チェーンスライド穴
２２  係止部
２２１  本体部
２２２  フック部
２２３  嵌合部
２２４  案内部
２２５  突起部
３０，３０’  絞り吊り用スライド式チェーン金具（本発明品）
３１  チェーンスライド穴
３１ａ  開口部
３２  係止部
３２１  本体部
３２２  フック部
３２３  嵌合部
３２４  案内部
３２５  突起部
４０  絞り吊り用スライド式チェーン金具（本発明品）
４１  チェーンスライド穴
４１ａ  開口部
４２  係止部
４２１  縦スロット
４２２  横スロット
４２２ａ  横スロットの溝底
４２３  嵌合部
４２４  案内部
４２５  突起部
５０  絞り吊り用スライド式チェーン金具（本発明品）
５１  チェーンスライド部
５１１  チェーンスライド穴
５１２  連結端部
５１３  ピン穴
５１４，５１５  ストッパ
５２  係止部
５２１  縦スロット
５２２  横スロット
５２２ａ  横スロットの溝底
６０  絞り吊り用スライド式チェーン金具（本発明品）
６１  チェーンスライド部
６１１  チェーンスライド穴
６１２  連結端部
６１３  ピン穴
６１４，６１５  ストッパ
６２  係止部
６２１  本体部
６２２  フック部
６２３  嵌合部
６２４  案内部
６２５  突起部
６２６  連結端部
６２７  ピン穴
６２８  溝底
６２９  ストッパ当たり
７０  絞り吊り用スライド式チェーン金具（本発明品）
７１  チェーンスライド部
７１１  チェーンスライド穴
７１２  連結ピン
７２  係止部
７２１  本体部
７２２  フック部
７２３  嵌合部
７２４  案内部
７２５  突起部
７２６  連結ピン
【図１】
0005570169.tif 000002
【図２】
0005570169.tif 000003
【図３】
0005570169.tif 000004
【図４】
0005570169.tif 000005
【図５】
0005570169.tif 000006
【図６】
0005570169.tif 000007
【図７】
0005570169.tif 000008
【図８】
0005570169.tif 000009
【図９】
0005570169.tif 000010
【図１０】
0005570169.tif 000011
【図１１】
0005570169.tif 000012
【図１２】
0005570169.tif 000013
【図１３】
0005570169.tif 000014
【図１４】
0005570169.tif 000015
【図１５】
0005570169.tif 000016
【図１６】
0005570169.tif 000017